(57)【要約】【課題】適切なフォーカスバイアス及び球面収差調整の実現。【解決手段】最適なフォーカスバイアス値及び最適な球面収差補正値を、トラッキングエラー信号の振幅を観測して検出し、設定しておくことで、他の全ての調整、例えばレーザーパワーや、更にＲＦ信号を用いた詳細な球面収差補正、フォーカスバイアス補正などが保証できないディスクドライブ装置において、必要な調整動作や記録再生動作を適切に実行できるようにする。調整手順としては、フォーカスバイアスを所定値に設定して、球面収差補正値を変更しながらトラッキングエラー信号を観測し、最適な球面収差補正値を検出し設定した後、フォーカスバイアス値を変更しながらトラッキングエラー信号を観測し、最適なフォーカスバイアス値を検出する動作により、フォーカスバイアス及び球面収差補正値の最適値の検出を行い、設定する。【選択図】　　　　図５
2004095106.tif 000002
【特許請求の範囲】
【請求項１】
データの書込又は読出のために、ディスク記録媒体に対するレーザ照射及び反射光検出を行うとともに、レーザ光のフォーカスサーボ機構、トラッキングサーボ機構、及び球面収差補正機構を有するヘッド手段と、
上記ヘッド手段で得られる反射光からフォーカスエラー信号、トラッキングエラー信号を生成するエラー信号生成手段と、
上記フォーカスエラー信号に基づいてフォーカスサーボ駆動信号を生成し、上記フォーカスサーボ機構を駆動してフォーカスサーボを実行するフォーカスサーボ手段と、
上記トラッキングエラー信号に基づいてトラッキングサーボ駆動信号を生成し、上記トラッキングサーボ機構を駆動してトラッキングサーボを実行するトラッキングサーボ手段と、
球面収差補正値に基づいて球面収差補正駆動信号を生成し、上記球面収差補正機構を駆動して球面収差補正を実行する球面収差補正手段と、
上記フォーカスサーボ手段を含むフォーカスループにフォーカスバイアスを加算するフォーカスバイアス手段と、
上記トラッキングエラー信号を観測しながら、上記フォーカスバイアスの最適値、及び上記球面収差補正値の最適値を検出し、上記フォーカスバイアス手段により加算するフォーカスバイアス値と、上記球面収差補正手段における球面収差補正値を、それぞれ最適値に設定する調整手段と、
を備えたことを特徴とするディスクドライブ装置。
【請求項２】
上記調整手段は、
上記フォーカスバイアス手段により加算するフォーカスバイアスを所定値に設定して、球面収差補正値を変更しながら上記トラッキングエラー信号を観測し、観測されるトラッキングエラー信号の振幅に基づいて最適な球面収差補正値を検出した後、
上記球面収差補正手段に最適な球面収差補正値を設定して、フォーカスバイアス値を変更しながら上記トラッキングエラー信号を観測し、観測されるトラッキングエラー信号の振幅に基づいて最適なフォーカスバイアス値を検出し、上記フォーカスバイアス手段により加算するフォーカスバイアスを、上記最適なフォーカスバイアス値に設定することを特徴とする請求項１に記載のディスクドライブ装置。
【請求項３】
上記調整手段は、
上記球面収差補正手段における球面収差補正値を所定値に設定して、フォーカスバイアス値を変更しながら上記トラッキングエラー信号を観測し、観測されるトラッキングエラー信号の振幅に基づいて最適なフォーカスバイアス値を検出した後、
上記フォーカスバイアス手段に最適なフォーカスバイアス値を設定して、球面収差補正値を変更しながら上記トラッキングエラー信号を観測し、観測されるトラッキングエラー信号の振幅に基づいて最適な球面収差補正値を検出し、上記球面収差補正手段における球面収差補正値を、上記最適な球面収差補正値に設定することを特徴とする請求項１に記載のディスクドライブ装置。
【請求項４】
記憶手段を備え、
上記調整手段は、検出したフォーカスバイアスの最適値、及び球面収差補正値の最適値を上記記憶手段に記憶することを特徴とする請求項１に記載のディスクドライブ装置。
【請求項５】
上記調整手段は、
上記球面収差補正値を変更しながら上記トラッキングエラー信号を観測し、観測されるトラッキングエラー信号の振幅に基づいて最適な球面収差補正値を検出する際において、上記フォーカスバイアス手段により加算するフォーカスバイアス値を、上記記憶手段に記憶されている値に設定することを特徴とする請求項４に記載のディスクドライブ装置。
【請求項６】
上記調整手段は、
上記フォーカスバイアス値を変更しながら上記トラッキングエラー信号を観測し、観測されるトラッキングエラー信号の振幅に基づいて最適なフォーカスバイアス値を検出する際において、上記球面収差補正手段における球面収差補正値を、上記記憶手段に記憶されている値に設定することを特徴とする請求項４に記載のディスクドライブ装置。
【請求項７】
上記調整手段は、
上記フォーカスバイアス手段により加算するフォーカスバイアスを設定して、球面収差補正値を変更しながら上記トラッキングエラー信号を観測し、観測されるトラッキングエラー信号の振幅に基づいて適切な球面収差補正値を検出する処理と、
上記球面収差補正手段における球面収差補正値を設定して、フォーカスバイアス値を変更しながら上記トラッキングエラー信号を観測し、観測されるトラッキングエラー信号の振幅に基づいて適切なフォーカスバイアス値を検出する処理とを、
交互に繰り返し行って、最適なフォーカスバイアス値及び球面収差補正値を検出することを特徴とする請求項１に記載のディスクドライブ装置。
【請求項８】
上記調整手段は、検出したフォーカスバイアスの最適値、又は検出した球面収差補正値の最適値が、所定範囲内とならない値であった場合は、検出結果をエラーとすることを特徴とする請求項１に記載のディスクドライブ装置。
【請求項９】
記憶手段を備え、
上記調整手段は、検出したフォーカスバイアスの最適値、及び球面収差補正値の最適値を上記記憶手段に記憶するとともに、
検出したフォーカスバイアスの最適値、又は検出した球面収差補正値の最適値の検出結果をエラーとした場合、フォーカスバイアスの最適値、又は球面収差補正値の最適値として、上記記憶手段に記憶されている値を適用することを特徴とする請求項８に記載のディスクドライブ装置。
【請求項１０】
上記調整手段は、
フォーカスバイアス値、又は球面収差補正値を、所定値から等間隔の３通りに変更して、それぞれの場合でのトラッキングエラー信号の振幅を測定し、３つの測定結果を用いて二次曲線近似を行う演算処理により、上記フォーカスバイアスの最適値、又は上記球面収差補正値の最適値を検出することを特徴とする請求項１に記載のディスクドライブ装置。
【請求項１１】
上記調整手段は、
フォーカスバイアス値、又は球面収差補正値を、所定値から等間隔単位で３通り以上に変更して、それぞれの場合でのトラッキングエラー信号の振幅を測定し、各測定結果に基づいて選ばれる３つの測定結果を用いて二次曲線近似を行う演算処理により、上記フォーカスバイアスの最適値、又は上記球面収差補正値の最適値を検出することを特徴とする請求項１に記載のディスクドライブ装置。
【請求項１２】
上記調整手段は、
フォーカスバイアス値、又は球面収差補正値を、所定値から変更していきながらトラッキングエラー信号の振幅を測定し、トラッキングエラー信号の振幅が最適となる値を、上記フォーカスバイアスの最適値、又は上記球面収差補正値の最適値として検出することを特徴とする請求項１に記載のディスクドライブ装置。
【請求項１３】
データの書込又は読出のために、ディスク記録媒体に対するレーザ照射及び反射光検出を行うとともに、レーザ光のフォーカスサーボ機構、トラッキングサーボ機構、及び球面収差補正機構を有するディスクドライブ装置におけるフォーカスバイアス及び球面収差調整方法として、
フォーカスサーボをオン、トラッキングサーボをオフとした状態で、上記反射光から生成されるトラッキングエラー信号を観測しながら、フォーカスサーボループに加算するフォーカスバイアスの最適値、及び球面収差補正値の最適値を検出し、
上記フォーカスサーボループに加算するフォーカスバイアス値と、上記球面収差補正機構を駆動する球面収差補正値とを、それぞれ検出した最適値に設定することを特徴とするフォーカスバイアス及び球面収差調整方法。
【請求項１４】
上記フォーカスバイアスを所定値に設定して、球面収差補正値を変更しながら上記トラッキングエラー信号を観測し、観測されるトラッキングエラー信号の振幅に基づいて最適な球面収差補正値を検出した後、
最適な球面収差補正値を設定して、フォーカスバイアス値を変更しながら上記トラッキングエラー信号を観測し、観測されるトラッキングエラー信号の振幅に基づいて最適なフォーカスバイアス値を検出し、上記フォーカスバイアスを、上記最適なフォーカスバイアス値に設定することを特徴とする請求項１３に記載のフォーカスバイアス及び球面収差調整方法。
【請求項１５】
上記球面収差補正値を所定値に設定して、フォーカスバイアス値を変更しながら上記トラッキングエラー信号を観測し、観測されるトラッキングエラー信号の振幅に基づいて最適なフォーカスバイアス値を検出した後、最適なフォーカスバイアス値を設定して、球面収差補正値を変更しながら上記トラッキングエラー信号を観測し、観測されるトラッキングエラー信号の振幅に基づいて最適な球面収差補正値を検出し、上記球面収差補正値を、上記最適な球面収差補正値に設定することを特徴とする請求項１３に記載のフォーカスバイアス及び球面収差調整方法。
【請求項１６】
検出したフォーカスバイアスの最適値、及び球面収差補正値の最適値を記憶手段に記憶することを特徴とする請求項１３に記載のフォーカスバイアス及び球面収差調整方法。
【請求項１７】
上記球面収差補正値を変更しながら上記トラッキングエラー信号を観測し、観測されるトラッキングエラー信号の振幅に基づいて最適な球面収差補正値を検出する際において、上記フォーカスバイアス値を、上記記憶手段に記憶されている値に設定することを特徴とする請求項１６に記載のフォーカスバイアス及び球面収差調整方法。
【請求項１８】
上記フォーカスバイアス値を変更しながら上記トラッキングエラー信号を観測し、観測されるトラッキングエラー信号の振幅に基づいて最適なフォーカスバイアス値を検出する際において、上記球面収差補正値を、上記記憶手段に記憶されている値に設定することを特徴とする請求項１６に記載のフォーカスバイアス及び球面収差調整方法。
【請求項１９】
上記フォーカスバイアスを設定して、球面収差補正値を変更しながら上記トラッキングエラー信号を観測し、観測されるトラッキングエラー信号の振幅に基づいて適切な球面収差補正値を検出する処理と、
上記球面収差補正値を設定して、フォーカスバイアス値を変更しながら上記トラッキングエラー信号を観測し、観測されるトラッキングエラー信号の振幅に基づいて適切なフォーカスバイアス値を検出する処理とを、
交互に繰り返し行って、最適なフォーカスバイアス値及び球面収差補正値を検出することを特徴とする請求項１３に記載のフォーカスバイアス及び球面収差調整方法。
【請求項２０】
検出したフォーカスバイアスの最適値、又は検出した球面収差補正値の最適値が、所定範囲内とならない値であった場合は、検出結果をエラーとすることを特徴とする請求項１３に記載のフォーカスバイアス及び球面収差調整方法。
【請求項２１】
検出したフォーカスバイアスの最適値、及び球面収差補正値の最適値を記憶手段に記憶するとともに、
検出したフォーカスバイアスの最適値、又は検出した球面収差補正値の最適値の検出結果をエラーとした場合、フォーカスバイアスの最適値、又は球面収差補正値の最適値として、上記記憶手段に記憶されている値を適用することを特徴とする請求項２０に記載のフォーカスバイアス及び球面収差調整方法。
【請求項２２】
フォーカスバイアス値、又は球面収差補正値を、所定値から等間隔の３通りに変更して、それぞれの場合でのトラッキングエラー信号の振幅を測定し、３つの測定結果を用いて二次曲線近似を行う演算処理により、上記フォーカスバイアスの最適値、又は上記球面収差補正値の最適値を検出することを特徴とする請求項１３に記載のフォーカスバイアス及び球面収差調整方法。
【請求項２３】
フォーカスバイアス値、又は球面収差補正値を、所定値から等間隔単位で３通り以上に変更して、それぞれの場合でのトラッキングエラー信号の振幅を測定し、各測定結果に基づいて選ばれる３つの測定結果を用いて二次曲線近似を行う演算処理により、上記フォーカスバイアスの最適値、又は上記球面収差補正値の最適値を検出することを特徴とする請求項１３に記載のフォーカスバイアス及び球面収差調整方法。
【請求項２４】
フォーカスバイアス値、又は球面収差補正値を、所定値から変更していきながらトラッキングエラー信号の振幅を測定し、トラッキングエラー信号の振幅が最適となる値を、上記フォーカスバイアスの最適値、又は上記球面収差補正値の最適値として検出することを特徴とする請求項１３に記載のフォーカスバイアス及び球面収差調整方法。
【発明の詳細な説明】
【０００１】
【発明の属する技術分野】
本発明は、光ディスク等のディスク記録媒体に対するディスクドライブ装置、及びフォーカスバイアス及び球面収差調整方法に関するものである。
【０００２】
【従来の技術】
デジタルデータを記録・再生するための技術として、例えば、ＣＤ（Ｃｏｍｐａｃｔ　Ｄｉｓｋ），ＭＤ（Ｍｉｎｉ−Ｄｉｓｋ），ＤＶＤ（Ｄｉｇｉｔａｌ　Ｖｅｒｓａｔｉｌｅ　Ｄｉｓｋ）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
更に近年、ＤＶＲ（Ｄａｔａ　＆　Ｖｉｄｅｏ　Ｒｅｃｏｒｄｉｎｇ）と呼ばれる高密度光ディスクが開発され、著しい大容量化が図られている。
【０００３】
ＤＶＲのような高密度ディスクについては、ディスク厚み方向に０．１ｍｍのカバー層を有するディスク構造において、波長４０５ｎｍのレーザ（いわゆる青色レーザ）とＮＡが０．８５の対物レンズの組み合わせという条件下でフェーズチェンジマーク（相変化マーク）を記録再生を行うとし、トラックピッチ０．３２μｍ、線密度０．１２μｍ／ｂｉｔで、６４ＫＢ（キロバイト）のデータブロックを１つの記録再生単位として、フォーマット効率約８２％としたとき、直系１２ｃｍのディスクに２３．３ＧＢ（ギガバイト）程度の容量を記録再生できる。
また、同様のフォーマットで、線密度を０．１１２μｍ／ｂｉｔの密度とすると、２５ＧＢの容量を記録再生できる。
さらに、記録層を多層構造とすることでさらに飛躍的な大容量化が実現できる。例えば記録層を２層とすることにより、容量は上記の２倍である４６．６ＧＢ、又は５０ＧＢとすることができる。
【０００４】
【発明が解決しようとする課題】
ところで既に公知のとおり、光ディスクに対する記録再生を行うディスクドライブ装置では、レーザ光の焦点位置をディスク記録面に制御するフォーカスサーボ動作や、レーザ光がディスク上のトラック（ピット列やグルーブ（溝）によるトラック）をトレースするように制御するトラッキングサーボ動作が行われる。
フォーカスサーボに関しては、フォーカスループに適正なフォーカスバイアスを加えることが適切なサーボ動作のために必要であることが知られている。
【０００５】
また特に上記ＤＶＲのような高密度ディスクの場合、カバー層の厚み誤差や、多層構造の記録層に対応するためには球面収差補正を行うことが必要とされ、例えば光ピックアップ内にエキスパンダーレンズや液晶素子を用いた球面収差補正機構を備えたものが開発されている。
【０００６】
従来よりディスクドライブ装置において、ＲＦ信号、またはトラッキングエラー信号を用いてフォーカスバイアスを設定する技術はあったが、球面収差補正機構をもつ系においてフォーカスバイアス及び球面収差補正値の調整方法に関しては知られていない。
高開口数、青色レーザーを採用する光ディスク記録再生装置においては、フォーカスバイアス、及び球面収差補正値が未調整、または設計により決められた所定の一定値の状態では、ＲＦ信号の記録再生ができる保証がない。
そのため、ＲＦ信号を用いたフォーカスバイアス調整及び球面収差補正値調整の前に、まずＲＦ信号が記録及び再生できる状態にする必要がある。
【０００７】
【課題を解決するための手段】
そこで本発明は、ディスク挿入時またはディスク記録／再生中などに、フォーカスサーボをオン、トラッキングサーボをオフとした状態で、トラッキングエラー信号振幅が最適になるようにフォーカスバイアスと球面収差補正値を調整することで、少なくともＲＦ信号を用いた各種調整に対して十分な記録再生特性をもつフォーカスバイアスと球面収差補正値を得るようにすることを目的とする。
【０００８】
このために本発明のディスクドライブ装置は、データの書込又は読出のために、ディスク記録媒体に対するレーザ照射及び反射光検出を行うとともに、レーザ光のフォーカスサーボ機構、トラッキングサーボ機構、及び球面収差補正機構を有するヘッド手段と、上記ヘッド手段で得られる反射光からフォーカスエラー信号、トラッキングエラー信号を生成するエラー信号生成手段と、上記フォーカスエラー信号に基づいてフォーカスサーボ駆動信号を生成し、上記フォーカスサーボ機構を駆動してフォーカスサーボを実行するフォーカスサーボ手段と、上記トラッキングエラー信号に基づいてトラッキングサーボ駆動信号を生成し、上記トラッキングサーボ機構を駆動してトラッキングサーボを実行するトラッキングサーボ手段と、球面収差補正値に基づいて球面収差補正駆動信号を生成し、上記球面収差補正機構を駆動して球面収差補正を実行する球面収差補正手段と、上記フォーカスサーボ手段を含むフォーカスループにフォーカスバイアスを加算するフォーカスバイアス手段と、上記トラッキングエラー信号を観測しながら、上記フォーカスバイアスの最適値、及び上記球面収差補正値の最適値を検出し、上記フォーカスバイアス手段により加算するフォーカスバイアス値と、上記球面収差補正手段における球面収差補正値を、それぞれ最適値に設定する調整手段とを備えるようにする。
【０００９】
また、より具体的には、上記調整手段は、上記フォーカスバイアス手段により加算するフォーカスバイアスを所定値に設定して、球面収差補正値を変更しながら上記トラッキングエラー信号を観測し、観測されるトラッキングエラー信号の振幅に基づいて最適な球面収差補正値を検出した後、上記球面収差補正手段に最適な球面収差補正値を設定して、フォーカスバイアス値を変更しながら上記トラッキングエラー信号を観測し、観測されるトラッキングエラー信号の振幅に基づいて最適なフォーカスバイアス値を検出し、上記フォーカスバイアス手段により加算するフォーカスバイアスを、上記最適なフォーカスバイアス値に設定する。
或いは上記調整手段は、上記球面収差補正手段における球面収差補正値を所定値に設定して、フォーカスバイアス値を変更しながら上記トラッキングエラー信号を観測し、観測されるトラッキングエラー信号の振幅に基づいて最適なフォーカスバイアス値を検出した後、上記フォーカスバイアス手段に最適なフォーカスバイアス値を設定して、球面収差補正値を変更しながら上記トラッキングエラー信号を観測し、観測されるトラッキングエラー信号の振幅に基づいて最適な球面収差補正値を検出し、上記球面収差補正手段における球面収差補正値を、上記最適な球面収差補正値に設定する。
【００１０】
また記憶手段を備え、上記調整手段は、検出したフォーカスバイアスの最適値、及び球面収差補正値の最適値を上記記憶手段に記憶する。
また記憶手段を備える場合、上記調整手段は、上記球面収差補正値を変更しながら上記トラッキングエラー信号を観測し、観測されるトラッキングエラー信号の振幅に基づいて最適な球面収差補正値を検出する際において、上記フォーカスバイアス手段により加算するフォーカスバイアス値を、上記記憶手段に記憶されている値に設定する。
また記憶手段を備える場合、上記調整手段は、上記フォーカスバイアス値を変更しながら上記トラッキングエラー信号を観測し、観測されるトラッキングエラー信号の振幅に基づいて最適なフォーカスバイアス値を検出する際において、上記球面収差補正手段における球面収差補正値を、上記記憶手段に記憶されている値に設定する。
【００１１】
また上記調整手段は、上記フォーカスバイアス手段により加算するフォーカスバイアスを設定して、球面収差補正値を変更しながら上記トラッキングエラー信号を観測し、観測されるトラッキングエラー信号の振幅に基づいて適切な球面収差補正値を検出する処理と、上記球面収差補正手段における球面収差補正値を設定して、フォーカスバイアス値を変更しながら上記トラッキングエラー信号を観測し、観測されるトラッキングエラー信号の振幅に基づいて適切なフォーカスバイアス値を検出する処理とを、交互に繰り返し行って、最適なフォーカスバイアス値及び球面収差補正値を検出する。
【００１２】
また上記調整手段は、検出したフォーカスバイアスの最適値、又は検出した球面収差補正値の最適値が、所定範囲内とならない値であった場合は、検出結果をエラーとする。
さらに記憶手段を備え、上記調整手段は、検出したフォーカスバイアスの最適値、及び球面収差補正値の最適値を上記記憶手段に記憶するとともに、検出したフォーカスバイアスの最適値、又は検出した球面収差補正値の最適値の検出結果をエラーとした場合、フォーカスバイアスの最適値、又は球面収差補正値の最適値として、上記記憶手段に記憶されている値を適用する。
【００１３】
また上記調整手段による具体的な最適値検出動作としては、フォーカスバイアス値、又は球面収差補正値を、所定値から等間隔の３通りに変更して、それぞれの場合でのトラッキングエラー信号の振幅を測定し、３つの測定結果を用いて二次曲線近似を行う演算処理により、上記フォーカスバイアスの最適値、又は上記球面収差補正値の最適値を検出する。
或いは、上記調整手段は、フォーカスバイアス値、又は球面収差補正値を、所定値から等間隔単位で３通り以上に変更して、それぞれの場合でのトラッキングエラー信号の振幅を測定し、各測定結果に基づいて選ばれる３つの測定結果を用いて二次曲線近似を行う演算処理により、上記フォーカスバイアスの最適値、又は上記球面収差補正値の最適値を検出する。
或いは、上記調整手段は、フォーカスバイアス値、又は球面収差補正値を、所定値から変更していきながらトラッキングエラー信号の振幅を測定し、トラッキングエラー信号の振幅が最適となる値を、上記フォーカスバイアスの最適値、又は上記球面収差補正値の最適値として検出する。
【００１４】
本発明のフォーカスバイアス及び球面収差調整方法は、データの書込又は読出のために、ディスク記録媒体に対するレーザ照射及び反射光検出を行うとともに、レーザ光のフォーカスサーボ機構、トラッキングサーボ機構、及び球面収差補正機構を有するディスクドライブ装置におけるフォーカスバイアス及び球面収差調整方法として、フォーカスサーボをオン、トラッキングサーボをオフとした状態で、上記反射光から生成されるトラッキングエラー信号を観測しながら、フォーカスサーボループに加算するフォーカスバイアスの最適値、及び球面収差補正値の最適値を検出し、上記フォーカスサーボループに加算するフォーカスバイアス値と、上記球面収差補正機構を駆動する球面収差補正値とを、それぞれ検出した最適値に設定する。
【００１５】
より具体的には、上記フォーカスバイアスを所定値に設定して、球面収差補正値を変更しながら上記トラッキングエラー信号を観測し、観測されるトラッキングエラー信号の振幅に基づいて最適な球面収差補正値を検出した後、最適な球面収差補正値を設定して、フォーカスバイアス値を変更しながら上記トラッキングエラー信号を観測し、観測されるトラッキングエラー信号の振幅に基づいて最適なフォーカスバイアス値を検出し、上記フォーカスバイアスを、上記最適なフォーカスバイアス値に設定する。
或いは、上記球面収差補正値を所定値に設定して、フォーカスバイアス値を変更しながら上記トラッキングエラー信号を観測し、観測されるトラッキングエラー信号の振幅に基づいて最適なフォーカスバイアス値を検出した後、最適なフォーカスバイアス値を設定して、球面収差補正値を変更しながら上記トラッキングエラー信号を観測し、観測されるトラッキングエラー信号の振幅に基づいて最適な球面収差補正値を検出し、上記球面収差補正値を、上記最適な球面収差補正値に設定する。
【００１６】
また、検出したフォーカスバイアスの最適値、及び球面収差補正値の最適値を記憶手段に記憶する。
この場合、上記球面収差補正値を変更しながら上記トラッキングエラー信号を観測し、観測されるトラッキングエラー信号の振幅に基づいて最適な球面収差補正値を検出する際において、上記フォーカスバイアス値を、上記記憶手段に記憶されている値に設定する。
また、上記フォーカスバイアス値を変更しながら上記トラッキングエラー信号を観測し、観測されるトラッキングエラー信号の振幅に基づいて最適なフォーカスバイアス値を検出する際において、上記球面収差補正値を、上記記憶手段に記憶されている値に設定する。
【００１７】
また上記フォーカスバイアスを設定して、球面収差補正値を変更しながら上記トラッキングエラー信号を観測し、観測されるトラッキングエラー信号の振幅に基づいて適切な球面収差補正値を検出する処理と、上記球面収差補正値を設定して、フォーカスバイアス値を変更しながら上記トラッキングエラー信号を観測し、観測されるトラッキングエラー信号の振幅に基づいて適切なフォーカスバイアス値を検出する処理とを、交互に繰り返し行って、最適なフォーカスバイアス値及び球面収差補正値を検出する。
【００１８】
また、検出したフォーカスバイアスの最適値、又は検出した球面収差補正値の最適値が、所定範囲内とならない値であった場合は、検出結果をエラーとする。
また検出したフォーカスバイアスの最適値、及び球面収差補正値の最適値を記憶手段に記憶するようにし、検出したフォーカスバイアスの最適値、又は検出した球面収差補正値の最適値の検出結果をエラーとした場合、フォーカスバイアスの最適値、又は球面収差補正値の最適値として、上記記憶手段に記憶されている値を適用する。
【００１９】
最適値の具体的な検出処理としては、フォーカスバイアス値、又は球面収差補正値を、所定値から等間隔の３通りに変更して、それぞれの場合でのトラッキングエラー信号の振幅を測定し、３つの測定結果を用いて二次曲線近似を行う演算処理により、上記フォーカスバイアスの最適値、又は上記球面収差補正値の最適値を検出する。
又は、フォーカスバイアス値、又は球面収差補正値を、所定値から等間隔単位で３通り以上に変更して、それぞれの場合でのトラッキングエラー信号の振幅を測定し、各測定結果に基づいて選ばれる３つの測定結果を用いて二次曲線近似を行う演算処理により、上記フォーカスバイアスの最適値、又は上記球面収差補正値の最適値を検出する。
又は、フォーカスバイアス値、又は球面収差補正値を、所定値から変更していきながらトラッキングエラー信号の振幅を測定し、トラッキングエラー信号の振幅が最適となる値を、上記フォーカスバイアスの最適値、又は上記球面収差補正値の最適値として検出する。
【００２０】
以上の構成の本発明によれば、最適なフォーカスバイアス値、及び最適な球面収差補正値を、トラッキングエラー信号の振幅を使って見つける動作が実行され、ＲＦ信号が記録及び再生できる状態にすることができる。
【００２１】
【発明の実施の形態】
以下、本発明の実施の形態として、光ディスクに対応して記録再生を行うディスクドライブ装置（記録再生装置）及びそのフォーカスバイアス及び球面収差調整方法について説明していく。説明は次の順序で行う。
１．ディスクドライブ装置の構成
２．球面収差補正機構
３．サーボ系の構成
４．調整処理例［１］
４−１　調整処理
４−２　３点測定法による検出動作
４−３　拡張３点測定法による検出動作
４−４　最適値検出法による検出動作
５．調整処理例［２］
６．調整処理例［３］
７．調整処理例［４］
８．調整処理例［５］
９．調整タイミング
１０．変形例
【００２２】
１．ディスクドライブ装置の構成
図１に本例のディスクドライブ装置の構成を示す。
ディスク１は例えば相変化方式でデータの記録を行う光ディスクであるとする。またディスク上にはウォブリング（蛇行）されたグルーブが形成され、このグルーブが記録トラックとされる。グルーブのウォブリングによってはいわゆるＡＤＩＰ情報としてアドレス情報などが埋め込まれている。
【００２３】
このようなディスク１は、図示しないターンテーブルに積載され、記録／再生動作時においてスピンドルモータ５２によって一定線速度（ＣＬＶ）で回転駆動される。
そして光学ピックアップ（光学ヘッド）５１によってディスク１上のグルーブトラックのウォブリングとして埋め込まれたＡＤＩＰ情報の読み出しがおこなわれる。
また記録時には光学ピックアップ５１によってトラックにユーザーデータがフェイズチェンジマークとして記録され、再生時には光学ピックアップによって記録されたフェイズチェンジマークの読出が行われる。
【００２４】
ピックアップ５１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
レーザダイオードは、例えば波長４０５ｎｍのいわゆる青色レーザを出力するものとされる。また光学系によるＮＡは０．８５である。
【００２５】
ピックアップ５１内において対物レンズは二軸機構によってトラッキング方向及びフォーカス方向に移動可能に保持されている。
またピックアップ５１全体はスレッド機構５３によりディスク半径方向に移動可能とされている。
またピックアップ５１におけるレーザダイオードはレーザドライバ６３からのドライブ信号（ドライブ電流）によってレーザ発光駆動される。
【００２６】
なお、後述するがピックアップ５１内にはレーザ光の球面収差を補正する機構が備えられており、システムコントローラ６０及びサーボ回路６２の制御によって球面収差補正が行われる。
【００２７】
ディスク１からの反射光情報はフォトディテクタによって検出され、受光光量に応じた電気信号とされてマトリクス回路５４に供給される。
マトリクス回路５４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
【００２８】
マトリクス回路５４から出力される再生データ信号はリーダ／ライタ回路５５へ、フォーカスエラー信号及びトラッキングエラー信号はサーボ回路６１へ、プッシュプル信号はウォブル回路５８へ、それぞれ供給される。
【００２９】
リーダ／ライタ回路５５は、再生データ信号に対して２値化処理、ＰＬＬによる再生クロック生成処理等を行い、フェイズチェンジマークとして読み出されたデータを再生して、変復調回路５６に供給する。
変復調回路５６は、再生時のデコーダとしての機能部位と、記録時のエンコーダとしての機能部位を備える。
再生時にはデコード処理として、再生クロックに基づいてランレングスリミテッドコードの復調処理を行う。
またＥＣＣエンコーダ／デコーダ５７は、記録時にエラー訂正コードを付加するＥＣＣエンコード処理と、再生時にエラー訂正を行うＥＣＣデコード処理を行う。
再生時には、変復調回路５６で復調されたデータを内部メモリに取り込んで、エラー検出／訂正処理及びデインターリーブ等の処理を行い、再生データを得る。
ＥＣＣエンコーダ／デコーダ５７で再生データにまでデコードされたデータは、システムコントローラ６０の指示に基づいて、読み出され、ＡＶ（Ａｕｄｉｏ−Ｖｉｓｕａｌ）システム１２０に転送される。
【００３０】
グルーブのウォブリングに係る信号としてマトリクス回路５４から出力されるプッシュプル信号は、ウォブル回路５８において処理される。ＡＤＩＰ情報としてのプッシュプル信号は、ウォブル回路５８においてＡＤＩＰアドレスを構成するデータストリームに復調されてアドレスデコーダ５９に供給される。
アドレスデコーダ５９は、供給されるデータについてのデコードを行い、アドレス値を得て、システムコントローラ１０に供給する。
またアドレスデコーダ９はウォブル回路８から供給されるウォブル信号を用いたＰＬＬ処理でクロックを生成し、例えば記録時のエンコードクロックとして各部に供給する。
【００３１】
記録時には、ＡＶシステム１２０から記録データが転送されてくるが、その記録データはＥＣＣエンコーダ／デコーダ５７におけるメモリに送られてバッファリングされる。
この場合ＥＣＣエンコーダ／デコーダ５７は、バファリングされた記録データのエンコード処理として、エラー訂正コード付加やインターリーブ、サブコード等の付加を行う。
またＥＣＣエンコードされたデータは、変復調回路５６においてＲＬＬ（１−７）ＰＰ方式の変調が施され、リーダ／ライタ回路５５に供給される。
記録時においてこれらのエンコード処理のための基準クロックとなるエンコードクロックは上述したようにウォブル信号から生成したクロックを用いる。
【００３２】
エンコード処理により生成された記録データは、リーダ／ライタ回路５５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ６３に送られる。
レーザドライバ６３では供給されたレーザドライブパルスをピックアップ５１内のレーザダイオードに与え、レーザ発光駆動を行う。これによりディスク１に記録データに応じたピット（フェイズチェンジマーク）が形成されることになる。
【００３３】
なお、レーザドライバ６３は、いわゆるＡＰＣ回路（Ａｕｔｏ　Ｐｏｗｅｒ　Ｃｏｎｔｒｏｌ）を備え、ピックアップ５１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ６０から与えられ、記録時及び再生時にはそれぞれレーザ出力レベルが、その目標値になるように制御する。
【００３４】
サーボ回路６１は、マトリクス回路５４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ５１内の二軸機構のフォーカスコイル、トラッキングコイルを駆動することになる。これによってピックアップ５１、マトリクス回路５４、サーボ回路６１、二軸機構によるトラッキングサーボループ及びフォーカスサーボループが形成される。
【００３５】
またサーボ回路６１は、システムコントローラ６０からのトラックジャンプ指令に応じて、トラッキングサーボループをオフとし、ジャンプドライブ信号を出力することで、トラックジャンプ動作を実行させる。
【００３６】
またサーボ回路６１は、トラッキングエラー信号の低域成分として得られるスレッドエラー信号や、システムコントローラ６０からのアクセス実行制御などに基づいてスレッドドライブ信号を生成し、スレッド機構５３を駆動する。スレッド機構５３には、図示しないが、ピックアップ５１を保持するメインシャフト、スレッドモータ、伝達ギア等による機構を有し、スレッドドライブ信号に応じてスレッドモータを駆動することで、ピックアップ５１の所要のスライド移動が行なわれる。
【００３７】
スピンドルサーボ回路６２はスピンドルモータ２をＣＬＶ回転させる制御を行う。
スピンドルサーボ回路６２は、ウォブル信号に対するＰＬＬ処理で生成されるクロックを、現在のスピンドルモータ５２の回転速度情報として得、これを所定のＣＬＶ基準速度情報と比較することで、スピンドルエラー信号を生成する。
またデータ再生時においては、リーダ／ライタ回路５５内のＰＬＬによって生成される再生クロック（デコード処理の基準となるクロック）が、現在のスピンドルモータ５２の回転速度情報となるため、これを所定のＣＬＶ基準速度情報と比較することでスピンドルエラー信号を生成することもできる。
そしてスピンドルサーボ回路６２は、スピンドルエラー信号に応じて生成したスピンドルドライブ信号を出力し、スピンドルモータ６２のＣＬＶ回転を実行させる。
またスピンドルサーボ回路６２は、システムコントローラ６０からのスピンドルキック／ブレーキ制御信号に応じてスピンドルドライブ信号を発生させ、スピンドルモータ２の起動、停止、加速、減速などの動作も実行させる。
【００３８】
以上のようなサーボ系及び記録再生系の各種動作はマイクロコンピュータによって形成されたシステムコントローラ６０により制御される。
システムコントローラ６０は、ＡＶシステム１２０からのコマンドに応じて各種処理を実行する。
【００３９】
例えばＡＶシステム１２０から書込命令（ライトコマンド）が出されると、システムコントローラ６０は、まず書き込むべきアドレスにピックアップ５１を移動させる。そしてＥＣＣエンコーダ／デコーダ５７、変復調回路５６により、ＡＶシステム１２０から転送されてきたデータ（例えばＭＰＥＧ２などの各種方式のビデオデータや、オーディオデータ等）について上述したようにエンコード処理を実行させる。そして上記のようにリーダ／ライタ回路５５からのレーザドライブパルスがレーザドライバ６３に供給されることで、記録が実行される。
【００４０】
また例えばＡＶシステム１２０から、ディスク１に記録されている或るデータ（ＭＰＥＧ２ビデオデータ等）の転送を求めるリードコマンドが供給された場合は、まず指示されたアドレスを目的としてシーク動作制御を行う。即ちサーボ回路６１に指令を出し、シークコマンドにより指定されたアドレスをターゲットとするピックアップ５１のアクセス動作を実行させる。
その後、その指示されたデータ区間のデータをＡＶシステム１２０に転送するために必要な動作制御を行う。即ちディスク１からのデータ読出を行い、リーダ／ライタ回路５５、変復調回路５６、ＥＣＣエンコーダ／デコーダ５７におけるデコード／バファリング等を実行させ、要求されたデータを転送する。
【００４１】
なお、これらのフェイズチェンジマークによるデータの記録再生時には、システムコントローラ６０は、ウォブル回路５８及びアドレスデコーダ５９によって検出されるＡＤＩＰアドレスを用いてアクセスや記録再生動作の制御を行う。
【００４２】
ところで、この図１の例は、ＡＶシステム１２０に接続されるディスクドライブ装置としたが、本発明のディスクドライブ装置としては例えばパーソナルコンピュータ等と接続されるものとしてもよい。
さらには他の機器に接続されない形態もあり得る。その場合は、操作部や表示部が設けられたり、データ入出力のインターフェース部位の構成が、図４０とは異なるものとなる。つまり、ユーザーの操作に応じて記録や再生が行われるとともに、各種データの入出力のための端子部が形成されればよい。
もちろん構成例としては他にも多様に考えられ、例えば記録専用装置、再生専用装置としての例も考えられる。
【００４３】
２．球面収差補正機構
ピックアップ５１における球面収差補正機構としては、図２又は図３のように形成されている。図２、図３の各図においてはピックアップ５１内の光学系を示している。
【００４４】
図２において、半導体レーザ（レーザダイオード）８１から出力されるレーザ光は、コリメータレンズ８２で平行光とされ、ビームスプリッタ８３を透過して、球面収差補正機構としてのコリメータレンズ８７，８８を介して進行し、対物レンズ８４からディスク１に照射される。
ディスク１からの反射光は、対物レンズ８４、コリメータレンズ８８，８７を通ってビームスプリッタ８３で反射され、コリメータレンズ（集光レンズ８５）を介してディテクタ８６に入射される。
【００４５】
このような光学系においては、コリメータレンズ８７、８８はレーザ光の径を可変する機能を持つ。即ちコリメータレンズ８７が光軸方向であるＪ方向に移動可能とされることで、ディスク１に照射されるレーザ光の径が調整される。
つまり、図示しないコリメータレンズ８７の駆動部に対して前後移動を実行させる制御を行うことで、球面収差補正を実行させることができる。
【００４６】
図３（ａ）の例は、図２のコリメータレンズ８７、８８に代えて液晶パネル８９を備えるものである。
即ち液晶パネル８９において、レーザ光を透過させる領域と遮蔽する領域の境界を、図３（ｂ）の実線、破線、一点鎖線のように可変調整することで、レーザ光の径を可変できるものである。
この場合、液晶パネル８９を駆動するドライブ回路に対して、透過領域を可変させるように制御することで、球面収差補正を実行させることができる。
【００４７】
３．サーボ系の構成
図１におけるサーボ回路６１において、上述したフォーカスサーボループ及びトラッキングサーボループを形成する部分、及び球面収差補正値設定に関する部分を図４に示す。
【００４８】
マトリクス回路５４からのフォーカスエラー信号ＦＥ、トラッキングエラー信号ＴＥは、サーボ回路６１において、それぞれＡ／Ｄ変換器１１，２１によりデジタルデータに変換されてＤＳＰ１０に入力される。
ＤＳＰ１０には、フォーカスサーボ演算部１２，トラッキングサーボ演算部２２としての機能が備えられている。
【００４９】
そしてＡ／Ｄ変換器１１からのフォーカスエラー信号ＦＥは、加算器１５を介してフォーカスサーボ演算部１２に入力される。
フォーカスサーボ演算部１２では、デジタルデータとされて入力されるフォーカスエラー信号ＦＥに対して位相補償等のためのフィルタリングやループゲイン処理などの所定の演算を行ってフォーカスサーボ信号ＦＳを生成して出力する。フォーカスサーボ信号ＦＳは、Ｄ／Ａ変換器１３でアナログ信号に変換された後（ＰＷＭやＰＤＭなども含む）、フォーカスドライバ１４へ入力され、アクチュエータを駆動する。即ち光ピックアップ５１において対物レンズを保持する二軸機構のフォーカスコイルに電流を印加し、フォーカスサーボ動作を実行させる。
【００５０】
トラッキングサーボ演算部２２では、デジタルデータとされて入力されるトラッキングエラー信号ＴＥに対して位相補償等のためのフィルタリングやループゲイン処理などの所定の演算を行ってトラッキングサーボ信号ＴＳを生成して出力する。トラッキングサーボ信号ＴＳは、Ｄ／Ａ変換器２３でアナログ信号に変換された後（ＰＷＭやＰＤＭなども含む）、トラッキングドライバ２４へ入力され、アクチュエータを駆動する。即ち光ピックアップ５１において対物レンズを保持する二軸機構のトラッキングコイルに電流を印加し、トラッキングサーボ動作を実行させる。
【００５１】
またＤＳＰ１０においては、フォーカスバイアス加算、球面収差補正値設定、及びフォーカスバイアスや球面収差補正値の調整のための機能部位が設けられる。
加算器１５はフォーカスエラー信号ＦＥにフォーカスバイアスを加算する。加算するフォーカスバイアス値はフォーカスバイアス設定部１６に設定されている。フォーカスバイアス設定部１６が、後述する調整処理で検出／設定されたフォーカスバイアス値を出力することで、フォーカスサーボループに適正なフォーカスバイアスが加算されるものとなる。
【００５２】
球面収差補正値設定部２０は球面収差補正機構による球面収差補正値が設定される。設定された球面収差補正値はＤ／Ａ変換器２５によってアナログ信号とされ、球面収差補正ドライバ２６に供給される。
球面収差補正ドライバ２６は、例えば図２のような球面収差補正機構の場合は、コリメータレンズ８７を移動させる機構に駆動電力を供給する回路とされる。また、図３のような球面収差補正機構の場合は、液晶パネル８９の所要のセルに電圧印加制御を行う回路とされる。
従って、球面収差補正ドライバ２６が、球面収差補正値設定部２０から供給された球面収差補正値に基づいて、ピックアップ５１内の球面収差補正機構を駆動する構成となる。
【００５３】
振幅測定部１９は、トラッキングエラー信号ＴＥの振幅を測定する。振幅の測定方法は、基本的にはエンベロープ検波を用いる。また必要に応じて所定時間での平均化や、ノイズ除去フィルタ処理、異常値排除シーケンスなども行われる。
調整値演算部１７は、後述する調整処理によりフォーカスバイアス値及び球面収差補正値としての最適値を検出する。このとき、振幅測定部１９によるトラッキングエラー信号ＴＥの振幅測定結果を用いて最適値を検出する。通常は、トラッキングエラー振幅最大となるフォーカスバイアス値、球面収差補正値を最適値とする。
また、調整値演算部は、調整動作のための所定値、或いは調整結果としての最適値として、フォーカスバイアス設定部１６におけるフォーカスバイアス値や、球面収差補正値設定部２０における球面収差補正値を設定する。
不揮発性メモリ１８は、調整値演算部１７により検出された最適なフォーカスバイアス値及び球面収差補正値の記憶領域として用いられる。
【００５４】
以上のようにＤＳＰ１０において形成されるフォーカスサーボ演算部１２、トラッキングサーボ演算部２２、フォーカスバイアス／球面収差補正値の調整に関する動作は、システムコントローラ６０によって制御される。
【００５５】
４．調整処理例［１］
４−１　調整処理
以下、主に図４の構成のサーボ回路６１の処理により実行されるフォーカスバイアス及び球面収差調整処理について、各種例を説明していく。
まず図５により調整処理例［１］を説明する。図５はシステムコントローラ６０の指示によってＤＳＰ１０で実行される処理を示している。
【００５６】
まず調整処理の際にはステップＦ１０１として、フォーカスサーボをＯＮし、トラッキングサーボをＯＦＦの状態とする。
ステップＦ１０２では、調整値演算部１７はフォーカスバイアス設定部１６に、フォーカスバイアス値として測定用の初期値をセットする。この測定用初期値は、予め決められた値として、例えば不揮発性メモリ１８等に記憶されていれば良い。
【００５７】
フォーカスバイアス値を初期値で固定した状態において、ステップＦ１０３では、球面収差補正値設定部２０における球面収差補正値を変化させながら、振幅測定部１９から得られるトラッキングエラー信号の振幅値を観測して、球面収差補正値の最適値を探索する処理を行う。
この探索処理の具体例については、３点測定法、拡張３点測定法、最適値検出法としての各例を後述する。
【００５８】
調整値演算部１７は、ステップＦ１０３の最適値探索処理で球面収差補正値としての最適値が検出できたら、ステップＦ１０４で、検出された球面収差補正値の最適値を、球面収差補正値設定部２０に設定する。
そして、球面収差補正値が最適値に固定された状態において、ステップＦ１０５では、フォーカスバイアス設定部１６におけるフォーカスバイアス値を変化させながら、振幅測定部１９から得られるトラッキングエラー信号の振幅値を観測して、フォーカスバイアス値の最適値を探索する処理を行う。
この探索処理も、球面収差補正値の場合と同様に、後述する３点測定法、拡張３点測定法、最適値検出法としての各例で実行できる。
【００５９】
調整値演算部１７は、ステップＦ１０５の最適値探索処理でフォーカスバイアス値としての最適値が検出できたら、ステップＦ１０６で、検出されたフォーカスバイアス値の最適値を、フォーカスバイアス設定部１６にセットする。
【００６０】
以上の処理により、球面収差補正値とフォーカスバイアス値が、例えばトラッキングエラー信号の振幅が最大となる最適値に調整されることになる。
このことは、高開口数、青色レーザーを採用するディスクドライブ装置において、ＲＦ信号の記録再生ができる状態にフォーカスバイアス及び球面収差補正値が調整されたことを意味する。
従ってこの後、記録再生動作や、他の調整、例えばレーザーパワー調整や、ＲＦ信号を用いた詳細な球面収差補正、フォーカスバイアス補正などが適正に実行できるようになる。
【００６１】
特に上記調整処理で調整されたフォーカスバイアスと球面収差補正値により、記録再生特性が十分となる場合は、ＲＦ信号によるフォーカスバイアス調整と球面収差補正機構による調整を行うことは、必ずしも必要ではなくなり、この場合動作の効率化も実現される。
【００６２】
また、トラッキングエラー信号の振幅が最適となる球面収差補正値、フォーカスバイアス値を知ることができるので、例えばデータ記録再生時はＲＦ信号を用いた調整結果を使う場合でも、シークなど、サーボの安定性が要求される場面では上記処理により求められたフォーカスバイアス、球面収差補正値を使って動作するという方法も取ることができる。
【００６３】
４−２　３点測定法による検出動作
上記図５のステップＦ１０３，Ｆ１０５での探索処理の例として３点測定法を説明する。なお、３点測定法、及び後述する拡張３点測定法、最適値検出法は、後述する調整処理［２］〜［５］（図９〜図１２）においても同様に採用できるものである。
【００６４】
例えばトラッキングエラー信号の振幅対フォーカスバイアス値（或いは球面収差補正値）が２次関数の関係にあれば、３点のフォーカスバイアス値でのトラッキングエラー振幅を得て、最適フォーカスバイアス値（或いは球面収差補正値）を計算できる。
以降の説明では、調整するパラメタとしてフォーカスバイアスを例に取るが、球面収差補正値の調整に関しても全く同様の考え方で調整できる。
【００６５】
図６に、基本的な３点測定による調整のイメージ図を示す。
所定のフォーカスバイアスＢ、所定のフォーカスバイアス変化ステップＡを決め、フォーカスバイアスをＢ−Ａ、Ｂ、Ｂ＋Ａの３通りの値に変化させて、それぞれのフォーカスバイアス値におけるトラッキングエラー信号の振幅値を取得する。
そしてトラッキングエラー信号の振幅が、フォーカスバイアスに対して２次曲線を描くとして近似する。
現実のトラッキングエラー信号は対フォーカスバイアス特性として２次曲線とは違う形状のことも多いが、２次曲線近似したピーク点を求めれば、現実のトラッキングエラー信号の曲線としてもっともマージンが取れるポイントである可能性は高いため、この方法は実用上有用である。
【００６６】
トラッキングエラー信号の振幅をＹとし、フォーカスバイアスをＸとすれば、その関係は、２次曲線のパラメタとして係数α、Ｘ切片β、Ｙ切片γを用いて、
Ｙ　＝　α×（Ｘ　＋　β）２　＋　γ　　　　　　　　　　　・・・（式１）
という式で表現できることになる。
上記（式１）のうち、今求めたいパラメタはβである。即ちトラッキングエラー信号の振幅曲線のピークを与えるフォーカスバイアスはＸ切片である。
【００６７】
ここで図６のように、フォーカスバイアスがＢ−Ａ、Ｂ、Ｂ＋Ａのときのトラッキングエラー信号の振幅値をそれぞれＹ（−１）、Ｙ（０）、Ｙ（＋１）とすると、この振幅値Ｙ（−１）、Ｙ（０）、Ｙ（＋１）のそれぞれを（式１）に代入し、βについて解くと、
β　＝　Ｂ　＋　０．５　×　（Ｙ（＋１）−Ｙ（−１））／（２×Ｙ（０）−Ｙ（＋１）−Ｙ（−１））　・・・（式２）
という式が得られる。
この（式２）を用いれば、トラッキングエラー信号の振幅を最適とするフォーカスバイアス値が得られることになる。
【００６８】
このようにフォーカスバイアス値としての３点においてそれぞれトラッキングエラー信号の振幅値を取得し、上記（式２）の演算で最適なフォーカスバイアス値を得るようにすれば、迅速にフォーカスバイアス値の最適値を求めることができる。球面収差補正値についても同様に、３点の球面収差補正値においてそれぞれトラッキングエラー信号の振幅値を取得し、上記（式２）の演算で最適値を求めることができる。
従って、フォーカスバイアスと球面収差補正値の２つを調整している割には調整時間が早く、データ記録再生準備の時間を短縮できる。
【００６９】
４−３　拡張３点測定法による検出動作
次に、拡張３点測定法を説明する。
上記の３点測定法は、トラッキングエラー信号の振幅とフォーカスバイアス（又は球面収差補正値）の関係がほぼ完全な２次曲線であれば、測定されたトラッキングエラー信号振幅の傾向に関わらず正しい最適フォーカスバイアス（又は球面収差補正値）を計算できる。しかし、現実には完全な２次曲線ではないことが多いので、できるだけ、２次曲線のピーク付近の３点で計算した方が精度良く最適フォーカスバイアスを演算できる。
【００７０】
一例として、図７では、フォーカスバイアス値Ｂ−Ａ、Ｂ、Ｂ＋Ａの点で得られたトラッキングエラー信号振幅の値Ｙ（−１）、Ｙ（０）、Ｙ（＋１）が、単調減少傾向にあった場合を示している。
このような場合、トラッキングエラーが増加する方向に更に所定のフォーカスバイアス変化ステップＡだけ、フォーカスバイアスを動かす。すなわちフォーカスバイアスとしてＢ−２Ａの点でのトラッキングエラー信号の振幅Ｙ（−２）を測定する。
このとき、図７の例のように、振幅値Ｙ（−２）が、振幅値Ｙ（−１）に対し減少傾向を示した場合は、新規に追加した点を含む連続した３点、すなわち、Ｂ−２Ａ、Ｂ−Ａ、Ｂでのトラッキングエラー信号の振幅値Ｙ（−２）、Ｙ（−１）、Ｙ（０）を用いることで、上述した（式２）により、フォーカスバイアス最適値が計算できる。即ちこの場合、
β　＝　Ｂ　−　Ａ　＋　０．５　×　（Ｙ（０）−Ｙ（−２））／（２×Ｙ（−１）−Ｙ（０）−Ｙ（−２））　・・・（式３）
として、最適なフォーカスバイアス値が計算できる。
【００７１】
図７の例とは異なり、もし振幅値Ｙ（−２）が、振幅値Ｙ（−１）に対し更に増加傾向にあれば、さらにＢ−３Ａ点のフォーカスバイアスにおけるトラッキングエラー信号の振幅値Ｙ（−３）を測定し、振幅値Ｙ（−３）と振幅値Ｙ（−２）を比較する。このとき振幅値Ｙ（−３）が、振幅値Ｙ（−２）に対し減少傾向を示した場合は、新規に追加した点を含む連続した３点、すなわち、Ｂ−３Ａ、Ｂ２−Ａ、Ｂ−Ａでのトラッキングエラー信号の振幅値Ｙ（−３）、Ｙ（−２）、Ｙ（−１）を用いればよい。
【００７２】
このように、当初の３点のフォーカスバイアス値Ｂ−Ａ、Ｂ、Ｂ＋Ａにおいて、トラッキングエラー信号振幅の値Ｙ（−１）、Ｙ（０）、Ｙ（＋１）が、単調減少傾向にあった場合は、拡張的にフォーカスバイアス値Ｂ−２Ａ、Ｂ−３Ａ・・・と変化させてトラッキングエラー信号の振幅値Ｙ（−２）、Ｙ（−３）・・・を観測していく。つまりフォーカスバイアス値を等間隔単位で３通り以上に変更しながらトラッキングエラー信号の振幅値を測定していく。そして、トラッキングエラー信号の振幅値として、減少傾向が観測された時点か、またはフォーカスバイアスステップ加算回数限界Ｎ回に達した時点で、測定をストップした点を含む連続３点Ｂ−ＭＡ、Ｂ−（Ｍ−１）Ａ、Ｂ−（Ｍ−２）Ａにおける、各トラッキングエラー信号の振幅値Ｙ（−Ｍ）、Ｙ（−（Ｍ−１））、Ｙ（−（Ｍ−２））を選択し、フォーカスバイアス最適値を算出する。即ち上記（式２）、（式３）を一般化した式、
β　＝　Ｂ−（Ｍ−１）×Ａ＋０．５×（Ｙ（−（Ｍ−２））−Ｙ（−Ｍ））
／（２×Ｙ（−（Ｍ−１））−Ｙ（−（Ｍ−２））−Ｙ（−Ｍ））　　　　　　　　・・・（式４）
に従って最適フォーカスバイアスを計算することができる。
【００７３】
以上は、フォーカスバイアスに対しトラッキングエラー振幅が単調減少であった場合を例にして説明したが、単調増加であった場合でも同様に説明できる。
そして、このような拡張３点測定法により、球面収差が多く発生する場合（ディスクカバー厚誤差が大きい場合）に対しても適切に対応できることになる。
【００７４】
４−４　最適値検出法による検出動作
上記３点測定法、拡張３点測定法は、フォーカスバイアス又は球面収差補正値に対するトラッキングエラー信号の振幅曲線を二次曲線とし、３点の振幅値から近似することで最適値を算出したが、直接トラッキングエラー信号振幅のピーク点を探したり、または振幅減少が等しい点を探す手法が考えられる。
幾つかの方法があるが、以下に代表的な方法を示す。
【００７５】
＜パターン１＞
図８に示すように、Ｂ−ＮＡ、Ｂ−（Ｎ−１）Ａ、・・・、Ｂ−Ａ、Ｂ、Ｂ＋Ａ、・・・、Ｂ＋（Ｎ−１）Ａ、Ｂ＋ＮＡ、とフォーカスバイアス値を変化させ、それぞれの場合のトラッキングエラー振幅Ｙ（−Ｎ）、Ｙ（−Ｎ−１）、・・・、Ｙ（−１）、Ｙ（０）、Ｙ（＋１）、・・・、Ｙ（＋Ｎ−１）、Ｙ（＋Ｎ）を測定する。
そして、トラッキングエラー信号の振幅が最大のときのフォーカスバイアス値を最適とする。
【００７６】
＜パターン２＞
Ｂ−ＮＡ、Ｂ−（Ｎ−１）Ａ、・・・とフォーカスバイアス値を動かし、それぞれの場合のトラッキングエラー振幅を測定し、過去Ｌ回の振幅傾向が上昇から下降へと反転した時点で、その変節点を最適フォーカスバイアス値とする。
【００７７】
＜パターン３＞
Ｂ−ＮＡ、Ｂ−（Ｎ−１）Ａ、・・・、Ｂ−Ａ、Ｂ、Ｂ＋Ａ、・・・、Ｂ＋（Ｎ−１）Ａ、Ｂ＋ＮＡ、とフォーカスバイアス値を動かし、それぞれのフォーカスバイアスから等距離（Ｃ）の２点でのトラッキングエラー振幅を測定する。
例えばフォーカスバイアスＢのときは、Ｂ−ＣとＢ＋Ｃの振幅値を測定する。またフォーカスバイアスＢ＋Ａのときは、Ｂ＋Ａ−ＣとＢ＋Ａ＋Ｃの振幅値を測定する。
そして、その２点のトラッキングエラー振幅差が最も近いときのフォーカスバイアス値を最適フォーカスバイアスとする。
【００７８】
例えばこのような最適値検出法の場合、最適値検出処理に上記３点測定法より時間がかかることになるが、トラッキングエラー信号の振幅曲線が二次曲線でなくとも、正確に最適なフォーカスバイアス値、球面収差補正値を検出することができるものとなる。
【００７９】
５．調整処理例［２］
次に図９により調整処理例［２］として、フォーカスバイアス及び球面収差調整処理を説明する。
上記調整処理例［１］では、球面収差補正値の最適値を検出、設定した後、フォーカスバイアス値の最適値の検出、設定を行った。調整処理例［２］は、逆の順序で実行するものである。
【００８０】
調整処理の際には図９のステップＦ２０１として、フォーカスサーボをＯＮし、トラッキングサーボをＯＦＦの状態とする。
ステップＦ２０２では、調整値演算部１７は球面収差補正値設定部２０に、球面収差補正値として測定用の初期値をセットする。この測定用初期値は、予め決められた値として、例えば不揮発性メモリ１８等に記憶されていれば良い。
【００８１】
球面収差補正値を初期値で固定した状態において、ステップＦ２０３では、フォーカスバイアス設定部１６におけるフォーカスバイアス値を変化させながら、振幅測定部１９から得られるトラッキングエラー信号の振幅値を観測して、フォーカスバイアス値の最適値を探索する処理を行う。即ち上記の３点測定法、拡張３点測定法、最適値検出法などを実行する。
【００８２】
調整値演算部１７は、ステップＦ２０３の最適値探索処理でフォーカスバイアス値としての最適値が検出できたら、ステップＦ２０４で、検出されたフォーカスバイアス値の最適値を、フォーカスバイアス設定部１６に設定する。
そして、フォーカスバイアス値が最適値に固定された状態において、ステップＦ２０５では、球面収差補正値設定部２０における球面収差補正値を変化させながら、振幅測定部１９から得られるトラッキングエラー信号の振幅値を観測して、球面収差補正値の最適値を探索する処理を行う。即ち３点測定法、拡張３点測定法、最適値検出法などを実行する。
【００８３】
調整値演算部１７は、ステップＦ２０５の最適値探索処理で球面収差補正値としての最適値が検出できたら、ステップＦ２０６で、検出された球面収差補正値の最適値を、球面収差補正値設定部２０にセットする。
以上の処理により、球面収差補正値とフォーカスバイアス値が、例えばトラッキングエラー信号の振幅が最大となる最適値に調整されることになる。
【００８４】
６．調整処理例［３］
調整処理例［３］を図１０に示す
この図１０の処理においてステップＦ３０１，Ｆ３０３〜Ｆ３０６は、図５の調整処理例［１］におけるステップＦ１０１，Ｆ１０３〜Ｆ１０６と同様である。
【００８５】
図１０の処理では、調整値演算部１７はステップＦ３０７として、フォーカスバイアス最適値及び球面収差補正値最適値を不揮発性メモリ１８に記憶するようにしている。
即ち図５と同様の最適値探索処理で検出し、フォーカスバイアス設定部１６にセットしたフォーカスバイアス値、及び球面収差補正値設定部２０にセットした球面収差補正値を不揮発性メモリ１８に記憶させる。
【００８６】
また、ステップＦ３０２では球面収差補正値の最適値を探索するために初期値に固定するフォーカスバイアス値として、前回の調整処理時に検出され不揮発性メモリ１８に記憶されていたフォーカスバイアス最適値をセットするようにしている。
測定用初期値として、前回のフォーカスバイアス最適値をセットすることで、球面収差補正値の最適値検出を、より的確に実行できるようになる。
【００８７】
また、フォーカスバイアス及び球面収差補正値の最適値を不揮発性メモリ１８に記憶することは、必要時に最適値への設定を実行できることにもなる。
例えば本例の調整後に、ＲＦ信号を用いた調整を行う場合でも、必要時にトラッキングエラー信号の振幅観測に基づく調整結果に設定変更することができる。
【００８８】
ところで、上記図９の調整処理例［２］の手順において、図１０のステップＦ３０２，Ｆ３０７の処理を適用しても良い。
その場合は、最初に球面収差補正値として初期値をセットすることになるが、この球面収差補正値の初期値として不揮発性メモリ１８に記憶されている前回の球面収差補正値最適値を用いればよい。
【００８９】
また図１０のステップＦ３０２においては、初期値として前回の最適値を用いることの他、過去ｎ回の最適値の平均値を用いるなど、不揮発性メモリ１８に記憶されている過去の最適値を利用する方式は多様に考えられる。
【００９０】
また不揮発性メモリ１８への記憶方式としては、例えば不揮発性メモリ１８をリングバッファ形態で用いるようにして、過去所定回数の最適値履歴が保存されるようにしても良い。
或いは、不揮発性メモリ１８に記憶した最適値については、例えばディスク１が入れ換えられることに応じてクリアするようにし、現在のディスクに応じた最適値が記憶されている状態とするようにしてもよい。
さらにはディスク１の入れ換えに関わらず、或る程度長期にわたって所要数の最適値のサンプルとして保存しておき、例えば二軸機構や球面収差補正機構等のデバイスの経年変化具合（応答性の変化）を反映した測定初期値設定ができるようにしてもよい。
【００９１】
７．調整処理例［４］
図１１により調整処理例［４］を説明する。
この調整処理例［４］は、フォーカスバイアス最適値検出と、球面収差補正値最適値検出を交互に繰り返し行うようにするものである。
【００９２】
まずステップＦ４０１として、フォーカスサーボをＯＮし、トラッキングサーボＯＦＦの状態とする。そしてステップＦ４０２で、変数ｎを１にセットする。変数ｎは最適値検出の繰り返し回数を制御する変数である。
【００９３】
ステップＦ４０３では、調整値演算部１７はフォーカスバイアス設定部１６に、フォーカスバイアス値として測定用の初期値をセットする。この測定用初期値は、例えば不揮発性メモリ１８に記憶されている前回の調整処理によって検出された最適値とする。
【００９４】
フォーカスバイアス値を初期値で固定した状態において、ステップＦ４０４では、球面収差補正値設定部２０における球面収差補正値を変化させながら、振幅測定部１９から得られるトラッキングエラー信号の振幅値を観測して、球面収差補正値の最適値を探索する処理を行う。即ち３点測定法、拡張３点測定法、最適値検出法等による球面収差補正値最適値の検出を行う。
【００９５】
調整値演算部１７は、ステップＦ４０４の最適値探索処理で球面収差補正値としての最適値が検出できたら、ステップＦ４０５で、検出された球面収差補正値の最適値を、球面収差補正値設定部２０に設定する。
そして、球面収差補正値が最適値に固定された状態において、ステップＦ４０６では、フォーカスバイアス設定部１６におけるフォーカスバイアス値を変化させながら、振幅測定部１９から得られるトラッキングエラー信号の振幅値を観測して、フォーカスバイアス値の最適値を探索する処理を行う。即ち３点測定法、拡張３点測定法、最適値検出法等によるフォーカスバイアス最適値の検出を行う。
【００９６】
調整値演算部１７は、ステップＦ４０６の最適値探索処理でフォーカスバイアス値としての最適値が検出できたら、ステップＦ４０７で、検出されたフォーカスバイアス値の最適値を、フォーカスバイアス設定部１６にセットする。
そしてステップＦ４０８で、変数ｎが所定値Ｋに達しているか否かを判別する。所定値Ｋとは、繰り返し回数として決められた値である。
【００９７】
ｎ＜Ｋであれば、ステップＦ４１０で変数ｎをインクリメントしてステップＦ４０４に戻る。
このとき、フォーカスバイアス設定部１６では、ステップＦ４０７でフォーカスバイアス最適値がセットされており、従ってステップＦ４０４では、このフォーカスバイアス最適値に固定した状態で、球面収差補正値設定部２０における球面収差補正値を変化させながら、振幅測定部１９から得られるトラッキングエラー信号の振幅値を観測して、球面収差補正値の最適値を探索する処理を行う。
【００９８】
ステップＦ４０４で球面収差補正値としての最適値が検出できたら、ステップＦ４０５で、検出された球面収差補正値の最適値を、球面収差補正値設定部２０に設定する。そして、球面収差補正値が最適値に固定された状態において、ステップＦ４０６では、フォーカスバイアス設定部１６におけるフォーカスバイアス値を変化させながらフォーカスバイアス値の最適値を探索する処理を行う。
そしてステップＦ４０７で、検出されたフォーカスバイアス値の最適値を、フォーカスバイアス設定部１６にセットする。
【００９９】
このような処理を、ステップＦ４０８で、変数ｎが所定値Ｋに達しているとされるまで繰り返す。
Ｋ回の繰り返し処理が完了したら、ステップＦ４０９に進み、その時点で設定されているフォーカスバイアス最適値、球面収差補正値最適値を不揮発性メモリ１８に記憶させて処理を終える。
【０１００】
以上の処理により、球面収差補正値とフォーカスバイアス値が最適値に調整されることになる。
特にフォーカスバイアスと球面収差補正値は、互いに直前に検出された他方の最適値が固定された状態で、最適値を探索する処理を繰り返し行うことになるため、最適値として最も適切な値が互いに追い込まれて収束していくことになり、より精度の高い調整が可能となる。
【０１０１】
なお、図１１の例では、球面収差補正値の最適値探索→フォーカスバイアスの最適値探索→球面収差補正値の最適値探索→・・・という順序で行われるようにしたが、フォーカスバイアスの最適値探索→球面収差補正値の最適値探索→フォーカスバイアスの最適値探索→・・・という順序で行われるようにしてもよい。
【０１０２】
８．調整処理例［５］
図１２により調整処理例［５］を説明する。
この調整処理例［５］は、フォーカスバイアス最適値及び球面収差補正値最適値の検出に際して、不適切な値を排除するものである。
【０１０３】
図１２のステップＦ５０１，Ｆ５０２，Ｆ５０３，Ｆ５０５，Ｆ５０７，Ｆ５０９，Ｆ５１１は、図１０のステップＦ３０１〜Ｆ３０７と同様としている。
この場合、ステップＦ５０３において球面収差補正値最適値の探索処理を実行した際に、ステップＦ５０４で、検出された最適値が所定の範囲内の値であるか否かを判別する。ここでいう所定の範囲とは、球面収差補正値として異常な値ではないと判断できる範囲である。例えば適正範囲として予め設定しておく。
検出された球面収差補正値最適値が所定範囲内であればステップＦ５０５で、その検出された最適値を球面収差補正値設定部２０にセットする。
ところが検出された球面収差補正値最適値が所定範囲内でなかった場合は、ステップＦ５０６に進み、当該検出された最適値を廃棄して、不揮発性メモリ１８に記憶されている値から最適値を得、球面収差補正値設定部２０にセットするようにする。例えば前回の調整処理時の球面収差補正値最適値を適用する。
【０１０４】
またステップＦ５０７でフォーカスバイアス最適値の探索処理を実行した際に、ステップＦ５０８で、検出された最適値が所定の範囲内の値であるか否かを判別する。この所定の範囲とは、フォーカスバイアス値として異常な値ではないと判断できる範囲である。
検出されたフォーカスバイアス最適値が所定範囲内であればステップＦ５０９で、その検出された最適値をフォーカスバイアス設定部１６にセットする。
ところが検出されたフォーカスバイアス最適値が所定範囲内でなかった場合は、ステップＦ５１０に進み、当該検出された最適値を廃棄して、不揮発性メモリ１８に記憶されている値から最適値を得、フォーカスバイアス設定部１６にセットするようにする。例えば前回の調整処理時のフォーカスバイアス最適値を適用する。
【０１０５】
このような処理により、もし最適値探索処理において異常な値が検出されてしまった場合に、その異常値を最適値として用いることが防止されるため、エラーが拡大することが防止できる。
またその際に不揮発性メモリ１８に記憶された過去の最適値、或いは過去の最適値の平均値等を用いるようにすれば、或る程度適切な値の状態を維持できる。
【０１０６】
なお、異常値とされた最適値を廃棄した場合に、代替使用する最適値は、前回等の過去の調整処理による最適値のみならず、予め設定されていた固定値を用いることも考えられる。
また、このような最適値としての異常値廃棄を行う処理と、図１１に示した繰り替えし最適値探索を実行する処理を組み合わせることも、調整処理精度の向上に好適である。
【０１０７】
９．調整タイミング
調整処理例［１］〜［５］として各種例を説明した調整処理を実行するタイミングは多様に考えられる。
まず、ディスク装填時に実行することが適切である。ディスク装填時には、通常、ディスクの管理情報の読み出し等の処理が行われるが、そのため、つまりＲＦ信号の再生のためにはフォーカスバイアス及び球面収差が調整されていることが必要である。従ってディスク装填時に、まず上記調整処理を行うことが適切となる。
【０１０８】
また、再生中、シーク前後、或いは所定時間経過後に実行したり、ディスク上のトレース位置（内外周）に応じて実行することも考えられる。
例えば再生中であれば、ディスク１から読み出したデータのバッファリングの余裕のあるタイミングで行うことができる。
また、シーク直前、或いはシーク直後のタイミングも、調整処理の実行タイミングとして好適である。
【０１０９】
また、機器の温度状態（デバイス、アクチュエータの温度特性によるフォーカスバイアス最適値の変化）、経年変化、ディスク上のトレース位置（半径位置）などに応じて調整することで、これらの事情に対応した調整状態とできる。
従って、ディスク１に対する動作期間中などであっても、定期的、或いは不定期に調整処理が実行されることで、装置動作の安定化にとって適切なものとなる。また、温度変化検出、再生データのエラーレート／ジッタの悪化などをトリガとして、サーボゲイン調整処理を行うことも考えられる。
【０１１０】
１０．変形例
本発明は上記実施の形態に限らず、多様な変形例が考えられる。
特に調整処理例［１］〜［５］以外にも、調整処理手順は多様に考えられる。
【０１１１】
また３点測定法などで説明した最適値検出方式も多様に考えられる。
例えば図６〜図８の例に沿っていえば、フォーカスバイアスＢ−Ａで球面収差補正値の最適値及びトラッキングエラー振幅を記憶しておき、次にフォーカスバイアスＢで球面収差補正値の最適値及びトラッキングエラー振幅を記憶しておき、・・・といった具合に、各フォーカスバイアスに対応した球面収差補正値最適値を見て、最も望ましい条件（トラッキングエラー振幅が最大になる、球面収差補正量が小さい、フォーカスバイアス量が小さいなど）のフォーカスバイアス値と球面収差補正値を最適とする方法がある。すなわちフォーカスバイアス及び球面収差補正値で２次元のマップを描いて、最適点を探し出すものである。
もちろん逆に、球面収差補正値を動かしながら、フォーカスバイアスの最適値とトラッキングエラー振幅を使って、２次元マップの最適値を探し出す方法も考えられる。
【０１１２】
このような手法を用いた場合、フォーカスバイアス及び球面収差補正値の最適値が同時進行的に判別されるため、調整処理手順は、上記調整処理例［１］〜［５］とは異なるものとなる。
即ち、フォーカスサーボオン、トラッキングサーボオフとした後、上記手法でフォーカスバイアス及び球面収差補正値の最適値を２次元マップから探索する処理を行い、検出された各最適値をフォーカスバイアス設定部１６及び球面収差補正値設定部２０にセットするという処理手順となる。
【０１１３】
【発明の効果】
以上の説明から理解されるように本発明によれば、最適なフォーカスバイアス値及び最適な球面収差補正値を、トラッキングエラー信号の振幅を使って見つけることができるため、球面収差補正値の調整及びフォーカスバイアスの調整無しでは他の全ての調整、例えばレーザーパワーや、更にＲＦ信号を用いた詳細な球面収差補正、フォーカスバイアス補正などが保証できないディスクドライブ装置における不可欠といえる技術を提供できる。即ちトラッキングエラー信号の振幅を用いて最適なフォーカスバイアス値及び最適な球面収差補正値に調整しておくことで、その後の記録再生動作や調整動作の信頼性を向上させ、ひいては記録再生性能を向上させることができる。
また、トラッキングエラーが最適となる球面収差補正補正値、フォーカスバイアス値を知ることができるので、例えばデータ記録再生時はＲＦ信号を用いた調整結果を使う場合でも、シークなど、サーボの安定性が要求される場面では本発明により求められたフォーカスバイアス、球面収差補正値を使って動作するという方法も取ることができるようになる。
【０１１４】
また具体的な手順としては、フォーカスバイアスを所定値に設定して、球面収差補正値を変更しながらトラッキングエラー信号を観測し、最適な球面収差補正値を検出し設定した後、フォーカスバイアス値を変更しながらトラッキングエラー信号を観測し、最適なフォーカスバイアス値を検出する動作により、フォーカスバイアス及び球面収差補正値の最適値の検出が容易に可能である。
或いは、逆に、球面収差補正値を所定値に設定して、フォーカスバイアス値を変更しながら上記トラッキングエラー信号を観測し、最適なフォーカスバイアス値を検出、設定した後、球面収差補正値を変更しながらトラッキングエラー信号を観測し、最適な球面収差補正値を検出する動作でも同様である。
【０１１５】
また、検出したフォーカスバイアスの最適値、及び球面収差補正値の最適値を記憶手段に記憶することで、前回の最適値、過去の最適値平均値等を利用して上記検出動作を行うことができ、効率的かつ高精度の検出／設定動作が可能となる。
また検出した最適値が所定範囲内の値でない場合は検出エラーとすることが動作信頼性維持に適切となるとともに、その場合、記憶されている過去の最適値を適用することで、検出エラー時にも適切に対応できる。
【０１１６】
またフォーカスバイアスを設定して、球面収差補正値を変更しながらトラッキングエラー信号を観測し、観測されるトラッキングエラー信号の振幅に基づいて適切な球面収差補正値を検出する処理と、球面収差補正値を設定して、フォーカスバイアス値を変更しながらトラッキングエラー信号を観測し、観測されるトラッキングエラー信号の振幅に基づいて適切なフォーカスバイアス値を検出する処理とを、交互に繰り返し行っていくことで、フォーカスバイアス値及び球面収差補正値の最適値を追い込んでいくことができ、より精度の高い調整が可能となる。
【０１１７】
各最適値の具体的な検出処理としては、フォーカスバイアス値、又は球面収差補正値を、所定値から等間隔の３通りに変更して、それぞれの場合でのトラッキングエラー信号の振幅を測定し、３つの測定結果を用いて二次曲線近似を行う演算処理により、フォーカスバイアスの最適値、又は球面収差補正値の最適値を検出することで、簡易且つ迅速に検出が可能となる。つまりフォーカスバイアスと球面収差補正値の２つを調整している割には調整時間が早く、データ記録再生準備完了までの時間を短縮できる。
【０１１８】
又、フォーカスバイアス値、又は球面収差補正値を、所定値から等間隔単位で３通り以上に変更して、それぞれの場合でのトラッキングエラー信号の振幅を測定し、各測定結果に基づいて選ばれる３つの測定結果を用いて二次曲線近似を行う演算処理により、フォーカスバイアスの最適値、又は球面収差補正値の最適値を検出するようにすれば、球面収差が多く発生する場合（ディスクカバー厚誤差が大きい場合）に対しても対応して適切な調整が可能となる。
【０１１９】
又、フォーカスバイアス値、又は球面収差補正値を、所定値から変更していきながらトラッキングエラー信号の振幅を測定し、トラッキングエラー信号の振幅が最適となる値を、上記フォーカスバイアスの最適値、又は上記球面収差補正値の最適値として検出する方法でも、適切な調整が可能である。特に二次曲線近似による手法が好適でないことが想定される場合に有効である。
【図面の簡単な説明】
【図１】本発明の実施の形態のディスクドライブ装置のブロック図である。
【図２】実施の形態の球面収差補正機構例の説明図である。
【図３】実施の形態の球面収差補正機構例の説明図である。
【図４】実施の形態のサーボ回路の要部のブロック図である。
【図５】実施の形態の調整処理例［１］のフローチャートである。
【図６】実施の形態の３点測定法による検出動作の説明図である。
【図７】実施の形態の拡張３点測定法による検出動作の説明図である。
【図８】実施の形態の最適値検出法による検出動作の説明図である。
【図９】実施の形態の調整処理例［２］のフローチャートである。
【図１０】実施の形態の調整処理例［３］のフローチャートである。
【図１１】実施の形態の調整処理例［４］のフローチャートである。
【図１２】実施の形態の調整処理例［５］のフローチャートである。
【符号の説明】
１　ディスク、１０　ＤＳＰ、１１，２１　Ａ／Ｄ変換器、１２　フォーカスサーボ演算部、１３，２３，２５　Ｄ／Ａ変換器、１４　フォーカスドライバ、１５　加算器、１６　フォーカスバイアス設定部、１７　調整値演算部、１８　不揮発性メモリ、１９　振幅測定部、２０　球面収差補正値設定部、２２　トラッキングサーボ演算部、２４　トラッキングドライバ、２６　球面収差補正ドライバ、５１　ピックアップ、５２　スピンドルモータ、５３　スレッド機構、５４　マトリクス回路、５５　リーダ／ライタ回路、５６　変復調回路、５７　ＥＣＣエンコーダ／デコーダ、５８　ウォブル回路、５９　アドレスデコーダ、６０　システムコントローラ、６１　サーボ回路、６２　スピンドルサーボ回路、６３　レーザドライバ、１２０　ＡＶシステム
【図１】
2004095106.tif 000003
【図２】
2004095106.tif 000004
【図３】
2004095106.tif 000005
【図４】
2004095106.tif 000006
【図５】
2004095106.tif 000007
【図６】
2004095106.tif 000008
【図７】
2004095106.tif 000009
【図８】
2004095106.tif 000010
【図９】
2004095106.tif 000011
【図１０】
2004095106.tif 000012
【図１１】
2004095106.tif 000013
【図１２】
2004095106.tif 000014